(57)【特許請求の範囲】
【請求項１】
被計量物を計量する組合せ秤の性能に関するデータ（以下、組合せ秤性能データ）と前記組合せ秤で計量された被計量量物を包装する包装機の性能に関するデータ（以下、包装機性能データ）とを記憶する記憶器と、
前記包装機に対する要求を表すデータ（以下、包装機要求データ）を入力するための入力器と、
前記組合せ秤及び前記包装器を選択する演算処理器と、
表示器と、を備え、
前記組合せ秤性能データは、少なくとも前記組合せ秤の機種と計量可能な重量範囲（以下、計量重量範囲）と計量可能な速度範囲（以下、計量速度範囲）と組合せ方法と排出方式とが関連付けられてなるデータであり、
前記包装機性能データは、少なくとも前記包装機の機種と包装可能な内容量範囲（以下、内容量範囲）と包装可能な速度範囲（以下、包装速度範囲）と包装形態とフォーミングチューブ数とが関連付けられてデータであり、
前記包装機要求データは、少なくとも包装形態と内容量と包装速度とを含むデータであり、
前記記憶器は、複数の前記組合せ秤性能データと複数の前記包装機性能データとを記憶しており、
前記演算処理器は、前記記憶器に記憶された前記包装機性能データのうち前記入力器から入力される前記包装機要求データに適合する包装機と、前記記憶器に記憶された前記組合せ秤性能データのうち前記入力器から入力される前記包装機要求データに適合する組合せ秤と、を選択し、かつ、前記選択した包装機と前記選択した組み合わせ秤を前記表示器に表示するように構成されている、計量包装システム用情報処理装置。
【請求項２】
前記包装機要求データは、前記フォーミングチューブ数を含み、
前記演算処理器は、前記記憶器に記憶された前記包装機性能データのうち前記入力器から入力される前記フォーミングチューブ数に適合する包装機と、前記記憶器に記憶された前記組合せ秤性能データのうち前記入力器から入力される前記フォーミングチューブ数に適合する組合せ秤と、を選択し、かつ、前記選択した包装機と前記選択した組み合わせ秤を前記表示器に表示するように構成されている、請求項１に記載の計量包装システム用情報処理装置。
【請求項３】
前記入力器は、さらに前記組合せ秤の組合せ方法及び排出方式データを入力するように構成されており、
前記演算処理器は、前記組合せ秤性能データのうち前記入力器から入力される前記組合せ秤の組合せ方法及び排出方式データに適合する組合せ秤を選択し、かつ、選択した組合せ秤を前記表示器に表示するように構成されている、請求項１に記載の計量包装システム用情報処理装置。
【請求項４】
前記演算処理器は、前記組合せ秤を制御するように構成されている、請求項１に記載の計量包装システム用情報処理装置。
【請求項５】
前記演算処理器は、前記包装機を制御するように構成されている、請求項１に記載の計量包装システム用情報処理装置。
【請求項６】
前記演算処理器は、前記組合せ秤及び前記包装機を制御するように構成されている、請求項１に記載の計量包装システム用情報処理装置。
【請求項７】
通信媒体を介して前記組合せ秤性能データ及び前記包装機性能データを受信する通信器を備え、
前記演算処理器は、前記通信媒体を介して受信した前記組合せ秤性能データと前記包装機データを前記記憶器に記憶させるように構成されている、請求項１に記載の計量包装システム用情報処理装置。
【請求項８】
前記通信媒体は、ローカルエリアネットワーク、ワイドエリアネットワーク、公衆通信、インターネット、付加価値通信網、商用ネットワーク、及びこれらの組合せからなる群から選択されるものを含む、請求項７に記載の計量包装システム用情報処理装置。
【発明の詳細な説明】
【技術分野】
【０００１】
本発明は、計量包装システム用情報処理装置の構成に関する。
【背景技術】
【０００２】
計量包装システムは、被計量物を計量する組合せ秤と、袋を作製しながら、組合せ秤で計量された被計量物を充填して包装する包装機と、を備えたシステムである。組合せ秤は、複数の計量ホッパに供給された洗剤や菓子類等の被計量物を、計量し、計量した被計量物の計量値に基づいて、組合せ演算を行い、計量値の合計が、所定重量範囲となる計量ホッパの組合せを求める。そして、その組合せに該当する計量ホッパの被計量物をまとめて排出することにより、包装機へ被計量物が投入されるように構成されている（例えば、特許文献１参照）。
【０００３】
また、包装機は、帯状の包材をフォーミングチューブにより筒状に整形し、筒状に整形された包材（以下、筒状包材）の両側をシールしながら下方に引き出し、筒状包材の下端をシールし、下端をシールした筒状包材に組合せ秤から排出された被計量物が投入され、筒状包材の上端をシールして被計量物を包装するように構成されている（例えば、特許文献２参照）。
【特許文献１】特開２００７−１７０８８４号公報
【特許文献２】特開平１０−２１８１２２号公報
【発明の開示】
【発明が解決しようとする課題】
【０００４】
ところで、このような組合せ秤と包装機には、さまざまな種類があり、ユーザの目的等により、最適な組合せ秤と包装機を選択して提供する必要があるが、顧客が組合せ秤と包装機のそれぞれの仕様書を読んで、最適な組合せ秤と包装機の組合せを選択するのは煩雑である。また、組合せ秤と包装機を備え付けた後に、生産ラインの変更や生産品の受注増加により生産ラインを増設する等により、ユーザが、組合せ秤及び／又は包装機の新規購入を検討する場合に、組合せ秤及び／又は包装機の最新機種の仕様書を収集し、収集した仕様書から最適な組合せ秤と包装機の組合せを選択するのは煩雑である。
【０００５】
本発明は、上記課題を解決するためになされたもので、種々の組合せ秤及び包装機の中から、顧客にとって最適な組合せ秤及び包装機を容易に選択することができる情報処理装置、そのプログラム及び情報処理方法を提供することを目的とする。
【課題を解決するための手段】
【０００６】
上記課題を解決するために本発明に係る計量包装システム用情報処理装置は、被計量物を計量する組合せ秤の性能に関するデータ（以下、組合せ秤性能データ）と前記組合せ秤で計量された被計量量物を包装する包装機の性能に関するデータ（以下、包装機性能データ）とを記憶する記憶器と、前記包装機に対する要求を表すデータ（以下、包装機要求データ）を入力するための入力器と、前記組合せ秤及び前記包装器を選択する演算処理器と、表示器と、を備え、前記組合せ秤性能データは、少なくとも前記組合せ秤の機種と計量可能な重量範囲（以下、計量重量範囲）と計量可能な速度範囲（以下、計量速度範囲）と組合せ方法と排出方式とが関連付けられてなるデータであり、前記包装機性能データは、少なくとも前記包装機の機種と包装可能な内容量範囲（以下、内容量範囲）と包装可能な速度範囲（以下、包装速度範囲）と包装形態とフォーミングチューブ数とが関連付けられてデータであり、前記包装機要求データは、少なくとも包装形態と内容量と包装速度とを含むデータであり、前記記憶器は、複数の前記組合せ秤性能データと複数の前記包装機性能データとを記憶しており、前記演算処理器は、前記記憶器に記憶された前記包装機性能データのうち前記入力器から入力される前記包装機要求データに適合する包装機と、前記記憶器に記憶された前記組合せ秤性能データのうち前記入力器から入力される前記包装機要求データに適合する組合せ秤と、を選択し、かつ、前記選択した包装機と前記選択した組み合わせ秤を前記表示器に表示するように構成されている。
【０００７】
これにより、種々の組合せ秤及び包装機の中から、顧客にとって最適な組合せ秤及び包装機を容易に選択することができる。
【０００８】
また、本発明に係る計量包装システム用情報処理装置では、前記包装機要求データは、前記フォーミングチューブ数を含み、前記演算処理器は、前記記憶器に記憶された前記包装機性能データのうち前記入力器から入力される前記フォーミングチューブ数に適合する包装機と、前記記憶器に記憶された前記組合せ秤性能データのうち前記入力器から入力される前記フォーミングチューブ数に適合する組合せ秤と、を選択し、かつ、前記選択した包装機と前記選択した組み合わせ秤を前記表示器に表示するように構成されていてもよい。
【０００９】
また、本発明に係る計量包装システム用情報処理装置では、前記入力器は、さらに前記組合せ秤の組合せ方法及び排出方式データを入力するように構成されており、前記演算処理器は、前記組合せ秤性能データのうち前記入力器から入力される前記組合せ秤の組合せ方法及び排出方式データに適合する組合せ秤を選択し、かつ、選択した組合せ秤を前記表示器に表示するように構成されていてもよい。
【００１０】
また、本発明に係る計量包装システム用情報処理装置では、前記演算処理器は、前記組合せ秤を制御するように構成されていてもよい。
【００１１】
また、本発明に係る計量包装システム用情報処理装置では、前記演算処理器は、前記包装機を制御するように構成されていてもよい。
【００１２】
また、本発明に係る計量包装システム用情報処理装置では、前記演算処理器は、前記組合せ秤及び前記包装機を制御するように構成されていてもよい。
【００１３】
また、本発明に係る計量包装システム用情報処理装置では、通信媒体を介して前記組合せ秤性能データ及び前記包装機性能データを受信する通信器を備え、前記演算処理器は、前記通信媒体を介して受信した前記組合せ秤性能データと前記包装機データを前記記憶器に記憶させるように構成されていてもよい。
【００１４】
これにより、顧客が、組合せ秤及び／又は包装機の最新機種の情報取得が容易となる。
【００１５】
さらに、本発明に係る計量包装システム用情報処理装置では、前記通信媒体は、ローカルエリアネットワーク、ワイドエリアネットワーク、公衆通信、インターネット、付加価値通信網、商用ネットワーク、及びこれらの組合せからなる群から選択されるものを含んでもよい。
【発明の効果】
【００１６】
本発明の計量包装システム用情報処理装置によれば、種々の組合せ秤及び包装機の中から、顧客にとって最適な組合せ秤及び包装機を容易に選択することができる。
【発明を実施するための最良の形態】
【００１７】
以下、本発明の好ましい実施の形態を、図面を参照しながら説明する。なお、全ての図面において、同一又は相当部分には同一符号を付し、重複する説明は省略する。
（実施の形態１）
[計量包装システムの構成]
図１は、本発明の実施の形態１に係る計量包装システム用情報処理装置（以下、単に情報処理装置という）を備える計量包装システムの概略構成を示す模式図である。
【００１８】
図１に示すように、本発明の実施の形態１に係る情報処理装置１０１を備える計量包装システム１００は、情報処理装置１０１、組合せ秤１０２、包装機１０３、及びサーバコンピュータ１０４を備えている。情報処理装置１０１、組合せ秤１０２、及び包装機１０３は、生産ラインの適所に配置されていて、情報処理装置１０１が、組合せ秤１０２及び包装機１０３の制御を行うように構成されている。
【００１９】
ここで、図２乃至図４を参照しながら、組合せ秤１０２及び包装機１０３について説明する。
【００２０】
図２は、図１に示す計量包装システム１００の組合せ秤１０２及び包装機１０３の外観示す模式図であり、図３は、図１に示す計量包装システム１００の組合せ秤１０２の概略構成を示す模式図であり、図４は、図１に示す計量包装システム１００の包装機１０３の主要部の概略構成を示す模式図である。
【００２１】
まず、組合せ秤１０２の構成について説明する。
【００２２】
[組合せ秤の構成]
図２及び図３に示すように組合せ秤１０２は、分散フィーダ１、リニアフィーダ２、供給ホッパ３、計量ホッパ４、重量センサ５、集合シュート（排出シュート）６、及び集合ファンネル７を備えている。
【００２３】
組合せ秤１０２の上方には、図示されない被計量物を組合せ秤１０２の分散フィーダ１に供給するための供給装置が配置されている。分散フィーダ１は、組合せ秤１０２上部の中央に設けられており、円錐状に形成されている。また、分散フィーダ１は、振動器１ａを有している。これにより、分散フィーダ１は、振動器１ａの振動により、供給装置から供給された被計量物を放射状に分散する。
【００２４】
分散フィーダ１の周囲には、振動器２ａを有するリニアフィーダ２が放射状に複数設けられている。リニアフィーダ２の下方には、複数の供給ホッパ３が円状に設けられており、供給ホッパ３の下方には、該供給ホッパ３に対応するように計量ホッパ４が設けられている。供給ホッパ３及び計量ホッパ４は、ゲートを有している。また、各計量ホッパ４には、ロードセル等の重量センサ５が取り付けられており、この重量センサ５が計量ホッパに供給された被計量物の重量を検出する。これにより、リニアフィーダ２は、分散フィーダ１により分散された被計量物を各供給ホッパ３に供給する。また、供給ホッパ３は、その下方に配置された計量ホッパ４が空になるとゲートを開いて計量ホッパ４に被計量物を投入する。
【００２５】
計量ホッパ４の下方には、その下部に排出口を有する集合シュート６が設けられており、集合シュート６の排出口には、集合ファンネル７が配設されている。集合ファンネル７は、集合シュート６から供給される被計量物を受け取って、後述する包装機１０３に送出するように構成されている。これにより、計量ホッパ４から排出された被計量物は、集合シュート６上を滑り、集合シュート６の排出口から集合ファンネル７に排出され、集合ファンネル７から包装機１０３に送出される。
【００２６】
次に、包装機１０３の構成について説明する。
【００２７】
[包装機の構成]
図２及び図４に示すように、包装機１０３は、筒状のフォーミングチューブ２１、フォーマ２２、プルダウンベルト機２３、縦シール機２４、横シール機２５、ローラ２６、及びシート状の包材２７が巻回された包材ロール２８と備えている。
【００２８】
フォーミングチューブ２１は、包装機５１に固設されており、包材ロール２８は、包装機１０３に回動自在に設けられている。フォーミングチューブ２１の中央部には、包材２７をフォーミングチューブ２１に巻きつけるためのフォーマ２２が設けられている。フォーマ２２近傍には、ローラ２６が設けられている。これにより、包材ロール２８から引き出された包材２７が、ローラ２６に巻き掛けられ、フォーマ２２によってフォーミングチューブ２１に巻きつけられる。
【００２９】
フォーミングチューブ２１の下部には、包材２７を下方に送り出すためのプルダウンベルト機２３が該フォーミングチューブ２１に押し付けられるように設けられている。また、プルダウンベルト機２３とほぼ同じ高さの位置に、縦シール機２４が配設されている。さらに、フォーミングチューブ２１の下方には、横シール機２５が配設されている。これにより、包材２７は、筒状に成形され、縦の縁が縦シール機２４にシール（溶着による封止）され、横シール機２５により横方向のシールが行われることにより、袋が形成される。
【００３０】
次に、情報処理装置１０１の構成について、図１及び図５を参照しながら説明する。
【００３１】
[情報処理装置の構成]
図５は、図１に示す計量包装システム１００の情報処理装置１０１の外観を示す模式図である。
【００３２】
図１に示すように、情報処理装置１０１は、ＣＰＵ等からなる演算処理器５１、メモリ等からなる記憶器５２、入力器５３、表示器５４、及び通信器５５を有している。また、図５に示すように、情報処理装置１０１は、ここでは、パネルコンピュータで構成されていて、表示器５４である液晶ディスプレイを利用して入力器５３であるタッチパネルが構成されている。情報処理装置１０１の演算処理器５１は、記憶器５２に格納された所定の制御プログラムを読み出し、これを実行することにより、計量包装システム１００に関する各種の制御を行う。また、演算処理器５１は、記憶器５２に記憶されたデータや入力器５３から入力されたデータを処理する。ここで、記憶器５２に記憶されたデータについて、図６を参照しながら説明する。
【００３３】
図６は、図１に示す計量包装システム１００の情報処理装置１０１における記憶器５２に記憶された組合せ秤データ及び包装機性能データの一部を示した模式図である。
【００３４】
図６に示すように、記憶器５２には、各組合せ秤の機種名、当該機種の計量速度範囲の最小値及び最大値（袋／分）、計量重量範囲の最小値及び最大値（ｇ）、組み合わせ方法、及び排出方式が記憶されている。また、記憶器５２には、各包装機の機種名、当該機種の包装速度範囲の最小値及び最大値（袋／分）、包装可能な内容量範囲の最小値及び最大値（ｇ）、包装形態（図５参照）、及びフォーミングチューブ数が記憶されている。さらに、記憶器５２には、組合せ秤の各機種の画像データと仕様（例えば、計量速度や計量範囲等）が記憶され、また、包装機の各機種の画像データと仕様（例えば、包装速度や包装可能寸法等）が記憶されている。そして、組合せ秤の各機種及び包装機の各機種には、それぞれ、組合せ秤番号及び包装機番号が付されていて、当該組合せ秤番号（ここでは、１〜ｎ）及び包装機番号（ここでは、１〜ｎ）は、それぞれ、組合せ秤の機種名及び包装機の機種名とともに記憶器５２に記憶されている。
【００３５】
なお、組合せ方法とは、１計量サイクルで所定量範囲内の組合せを何組演算して導き出すかということであり、「シングル」は１組の組合せを演算することをいい、同様に、「ダブル」は２組であり、「トリプレックス」は、３組であり、「マルチ」は、ここでは、４組の組合せを演算することをいう。また、排出方式とは、被計量物は、集合シュート６から集合ファンネル７に排出されて、集合ファンネル７から包装機に送出されるが（図３参照）、集合シュート６の数をいう。例えば、「１点排出」は、集合シュート６が１つ設けられていることをいい、同様に、「２点排出」は、集合シュート６が２つであり、「３点排出」は、集合シュート６が３つであり、「４点排出」は、集合シュート６が４つ設けられていることをいう。さらに、組合せ方法の「シングル」等に示されている「１」の表示は、選択されていることを示し、「０」の表示は、選択されていないことを示す。
【００３６】
また、図１に示すように、情報処理装置１０１の通信器５５は、電話回線、ＩＳＤＮ等の公衆回線を介してインターネット１０５に接続されていて、インターネット１０５を介して、サーバコンピュータ１０４に接続されている。なお、本実施形態では、通信器５５は、ＴＣＰ／ＩＰプロトコルを使用して、インターネット１０５に接続されている。また、本実施形態では、通信媒体としてインターネットを使用したが、これに限定されず、ローカルエリアネットワーク、ワイドエリアネットワーク、公衆通信、付加価値通信網、または、商用ネットワークを使用してもよい。
【００３７】
なお、本実施の形態においては、情報処理装置１０１をパネルコンピュータで構成したが、これに限定されず、マイコン等のコンピュータで構成されていてもよい。また、情報処理装置１０１が、組合せ秤１０２及び包装機１０３を制御する構成としたが、これらを制御する制御装置を別途設ける構成としてもよい。
【００３８】
次に、本実施の形態１に係る情報処理装置１０１の動作について、図７を参照しながら説明する。なお、情報処理装置１０１による組合せ秤１０２及び包装機１０３の制御動作については、省略する。
【００３９】
[情報処理装置の動作]
図７は、図１に示す計量包装システム１００の情報処理装置１０１における記憶器５２に格納されている組合せ秤及び包装機の選択プログラムの内容を概略的に示すフローチャートである。
【００４０】
まず、情報処理装置１０１の演算処理器５１は、表示器５４に入力画面（図５に示す画面）を表示する指令を出力する（ステップＳ１０１）。これにより、表示器５４は、入力画面を表示する。ついで、演算処理器５１は、ユーザにより入力器５３から包装機要求データである被計量物の包装形態、内容量（包装容量）、及び包装される速度（包装速度）が入力されたかを検出する（ステップＳ１０２）。演算処理器５１は、入力器５３から包装機要求データが入力されるまで、ステップＳ１０２を繰り返し、入力器５３から包装機要求データが入力されると、ステップＳ１０３に進む。
【００４１】
ステップＳ１０３では、情報処理装置１０１の演算処理器５１は、入力器５３からユーザが入力した包装形態、内容量、及び包装速度情報を取得する。ついで、演算処理器５１は、ステップＳ１０３で取得した包装形態、内容量、及び包装速度情報を基に、包装機フラグの設定を行う（ステップＳ１０４）。ここで、図８を参照しながら、包装機フラグの設定について詳細に説明する。
【００４２】
図８は、図７に示す組合せ秤及び包装機の選択プログラムのフローチャートにおける包装機フラグの設定をさらに詳細に示すフローチャートである。
【００４３】
図８に示すように、情報処理装置１０１の演算処理器５１は、記憶器５２に記憶されている包装機性能データのアドレスをセットする（ステップＳ２０１）。ついで、演算処理器５１は、包装機番号ｉを１に設定し（ステップＳ２０２）、包装機番号ｉ（ここでは、包装機番号１）の性能データを取得する（ステップＳ２０３）。
【００４４】
次に、情報処理装置１０１の演算処理器５１は、ステップＳ２０３で取得した包装機番号ｉの性能データと、ステップＳ１０３で取得した包装形態、内容量、及び包装速度に適合するか否かを判定する（ステップＳ２０４）。包装機番号ｉが、ステップＳ１０３で取得した包装形態、内容量、及び包装速度の全ての条件に適合する場合には、演算処理器５１は、包装機番号ｉのフラグをＯＮにして（ステップＳ２０５）、ステップＳ２０６に進む。一方、包装機番号ｉが、ステップＳ１０３で取得した包装形態、内容量、及び包装速度のいずれか１つでもその条件に適合しない場合には、そのままステップＳ２０６に進む。
【００４５】
ステップＳ２０６では、情報処理装置１０１の演算処理器５１は、包装機番号ｉをｉ＋１（ここでは、包装機番号２）に設定する。そして、演算処理器５１は、ステップＳ２０６で設定した包装機番号ｉが、ｎであるか否かを判定する（ステップＳ２０７）。包装機番号ｉが、ｎでない場合には、ステップＳ２０３に戻り、包装機番号ｉがｎになるまで、ステップＳ２０３〜ステップＳ２０７を繰り返す。一方、包装機番号ｉが、ｎになると、ステップＳ１０５に進む。
【００４６】
次に、図７に示すように、ステップＳ１０５では、情報処理装置１０１の演算処理器５１は、包装機フラグがＯＮであるか否かを判定する。包装機フラグがＯＮでない場合には、表示器５４にエラー表示を表示する指令を出力する（ステップＳ１０６）。これにより、表示器５４は、エラー表示を表示する。そして、演算処理器５１は、本プログラムを終了する。なお、本プログラムを終了させずに、ステップＳ１０１に戻ってもよい。
【００４７】
一方、包装機フラグがＯＮである場合には、ステップＳ１０７に進む。ステップＳ１０７では、情報処理装置１０１の演算処理器５１は、表示器５４に包装機１０３を表示する指令を出力する。ここで、図９Ａ及ぶ図９Ｂを参照しながら、包装機表示指令について詳細に説明する。
【００４８】
図９Ａ及び図９Ｂ（以下、図９）は、図７に示す組合せ秤及び包装機の選択プログラムのフローチャートにおける包装機表示指令をさらに詳細に示すフローチャートである。
【００４９】
図９に示すように、情報処理装置１０１の演算処理器５１は、ＯＮ状態の包装機フラグが複数あるか否かを判定する（ステップＳ３０１）。ＯＮ状態の包装機フラグが複数でない場合、すなわち、包装機フラグが１つである場合には、包装機フラグがＯＮの包装機の機種名、画像、及び仕様を表示器５４に表示する指令を出力する（ステップＳ３０２）。これにより、表示器５４は、当該包装機の機種名、画像、及び仕様を表示する（図１３参照）。そして、演算処理器５１は、入力器５３から当該包装機で決定するか否かの情報を取得する（ステップＳ３０３）。当該包装機で決定の場合には、ステップＳ１０８に進み、決定でない場合には、本プログラムを終了する。なお、本プログラムを終了させずに、ステップＳ１０１に戻ってもよい。
【００５０】
一方、ステップＳ３０１で、ＯＮ状態の包装機フラグが複数ある場合には、ステップＳ３０４に進む。ステップＳ３０４では、情報処理装置１０１の演算処理器５１は、表示器５４にフォーミングチューブ数入力画面（図１２に示す画面）を表示する指令を出力する。これにより、表示器５４は、フォーミングチューブ数入力画面を表示する。ついで、演算処理器５１は、ユーザにより入力器５３からフォーミングチューブ数が入力されたかを検出する（ステップＳ３０５）。演算処理器５１は、入力器５３からフォーミングチューブ数が入力されるまで、ステップＳ３０５を繰り返し、入力器５３からフォーミングチューブ数が入力されると、ステップＳ３０６に進む。
【００５１】
ステップＳ３０６では、情報処理装置１０１の演算処理器５１は、入力器５３からユーザが入力したフォーミングチューブ数情報を取得する。ついで、演算処理器５１は、記憶器５２に記憶されている包装機性能データのアドレスをセットし（ステップＳ３０７）、包装機番号ｉを１に設定する（ステップＳ３０８）。そして、演算処理器５１は、包装機番号ｉ（ここでは、包装機番号１）の性能データを取得する（ステップＳ３０９）。
【００５２】
次に、情報処理装置１０１の演算処理器５１は、ステップＳ３０９で取得した包装機番号ｉのデータと、ステップＳ３０６で取得したフォーミングチューブ数に適合するか否かを判定する（ステップＳ３１０）。包装機番号ｉが、ステップＳ３０６で取得したフォーミングチューブ数の条件に適合する場合には、演算処理器５１は、包装機番号ｉのフラグをＯＮにして（ステップＳ３１１）、ステップＳ３１２に進む。一方、包装機番号ｉが、ステップＳ３０６で取得したフォーミングチューブ数の条件に適合しない場合には、そのままステップＳ３１２に進む。
【００５３】
ステップＳ３１２では、情報処理装置１０１の演算処理器５１は、包装機番号ｉをｉ＋１（ここでは、包装機番号２）に設定する。そして、演算処理器５１は、ステップＳ３１２で設定した包装機番号ｉが、ｎであるか否かを判定する（ステップＳ３１３）。包装機番号ｉが、ｎでない場合には、ステップＳ３０９に戻り、包装機番号ｉがｎになるまで、ステップＳ３０９〜ステップＳ３１３を繰り返す。一方、包装機番号ｉが、ｎになると、ステップＳ３１４に進む。
【００５４】
ステップＳ３１４では、情報処理装置１０１の演算処理器５１は、包装機番号ｉを再び１に設定する。ついで、演算処理器５１は、包装機フラグがＯＮであるか否かを判定する（ステップＳ３１５）。包装機フラグがＯＮでない場合には、演算処理器５１は、包装機番号ｉをｉ＋１（ここでは、包装機番号２）に設定し（ステップＳ３１６）、ステップＳ３１４に戻る。このように、演算処理器５１は、包装機フラグがＯＮである包装機番号が出てくるまでステップＳ３１５及びステップＳ３１６を繰り返す。
【００５５】
一方、包装機フラグがＯＮである場合には、包装機フラグがＯＮである包装機の機種名、画像、及び仕様を表示器５４に表示する指令を出力する（ステップＳ３１７）。これにより、表示器５４は、当該包装機の機種名、画像、及び仕様を表示する（図１３参照）。
【００５６】
そして、情報処理装置１０１の演算処理器５１は、入力器５３から当該包装機で決定するか否かの情報を取得する（ステップＳ３１８）。当該包装機で決定でない場合には、演算処理器５１は、ステップＳ３１４又はステップＳ３１６で設定した包装機番号ｉが、ｎであるか否かを判定する（ステップＳ３１９）。包装機番号ｉが、ｎでない場合には、ステップＳ３１６に戻り、包装機番号ｉがｎになるまで、または包装機が決定するまで、ステップＳ３１５〜ステップＳ３１９を繰り返す。また、情報処理装置１０１の演算処理器５１は、ステップＳ３１８で包装機が決定の場合には、ステップＳ１０８に進み、ステップＳ３１９で包装機番号ｉがｎになると、本プログラムを終了する。なお、本プログラムを終了させずに、ステップＳ１０１に戻ってもよい。
【００５７】
次に、図７に示すように、情報処理装置１０１の演算処理器５１は、ステップＳ１０３で取得した内容量を組合せ秤の計量範囲（計量重量範囲）とし、また、包装速度を計量速度（計量速度範囲）として設定し、これらの設定した組合せ秤フラグの設定を行う（ステップＳ１０８）。ここで、図１０を参照しながら、組合せ秤フラグの設定について詳細に説明する。
【００５８】
図１０は、図７に示す組合せ秤及び包装機の選択プログラムのフローチャートにおける組合せ秤フラグの設定をさらに詳細に示すフローチャートである。
【００５９】
図１０に示すように、情報処理装置１０１の演算処理器５１は、記憶器５２に記憶されている組合せ秤性能データのアドレスをセットする（ステップＳ４０１）。ついで、演算処理器５１は、組合せ秤番号ｉを１に設定し（ステップＳ４０２）、組合せ秤番号ｉ（ここでは、組合せ秤番号１）の性能データを取得する（ステップＳ４０３）。
【００６０】
次に、情報処理装置１０１の演算処理器５１は、ステップＳ１０３で取得した内容量を計量範囲として設定し、また、包装速度を計量速度に設定して、これらの設定した計量範囲及び計量速度が、ステップＳ４０３で取得した組合せ秤番号ｉの性能データと適合するか否かを判定する（ステップＳ４０４）。組合せ秤番号ｉが、設定した計量範囲及び計量速度の条件に適合する場合には、演算処理器５１は、組合せ秤番号ｉのフラグをＯＮにして（ステップＳ４０５）、ステップＳ４０６に進む。一方、組合せ秤番号ｉが、設定した計量範囲及び計量速度の条件のいずれか１つでもその条件に適合しない場合には、そのままステップＳ４０６に進む。
【００６１】
ステップＳ４０６では、情報処理装置１０１の演算処理器５１は、組合せ秤番号ｉをｉ＋１（ここでは、組合せ秤番号２）に設定する。そして、演算処理器５１は、ステップＳ４０６で設定した組合せ秤番号ｉが、ｎであるか否かを判定する（ステップＳ４０７）。組合せ秤番号ｉが、ｎでない場合には、ステップＳ４０３に戻り、組合せ秤番号ｉがｎになるまで、ステップＳ４０３〜ステップＳ４０７を繰り返す。一方、組合せ秤番号ｉが、ｎになると、ステップＳ１１１に進む。
【００６２】
次に、図７に示すように、ステップＳ１１１では、情報処理装置１０１の演算処理器５１は、組合せ秤フラグがＯＮであるか否かを判定する（ステップＳ１０９）。組合せ秤フラグがＯＮでない場合には、表示器５４にエラー表示を表示する指令を出力する（ステップＳ１１０）。これにより、表示器５４は、エラー表示を表示する。そして、演算処理器５１は、本プログラムを終了する。なお、本プログラムを終了させずに、ステップＳ１０１に戻ってもよい。
【００６３】
一方、組合せ秤フラグがＯＮである場合には、ステップＳ１１１に進む。ステップＳ１１１では、情報処理装置１０１の演算処理器５１は、表示器５４に組合せ秤１０３を表示する指令を出力する。ここで、図１１Ａ及び図１１Ｂを参照しながら、組合せ秤表示指令について詳細に説明する。
【００６４】
図１１Ａ及び図１１Ｂ（以下、図１１）は、図７に示す組合せ秤及び包装機の選択プログラムのフローチャートにおける組合せ秤表示指令をさらに詳細に示すフローチャートである。
【００６５】
図１１に示すように、情報処理装置１０１の演算処理器５１は、ＯＮ状態の組合せ秤フラグが複数あるか否かを判定する（ステップＳ５０１）。ＯＮ状態の組合せ秤フラグが複数でない場合、すなわち、組合せ秤フラグが１つである場合には、組合せ秤フラグがＯＮの組合せ秤の機種名、画像、及び仕様を表示器５４に表示する指令を出力する（ステップＳ５０２）。これにより、表示器５４は、当該組合せ秤の機種名、画像、及び仕様を表示する（図１６参照）。そして、演算処理器５１は、入力器５３から当該組合せ秤で決定するか否かの情報を取得する（ステップＳ５０３）。当該組合せ秤で決定の場合には、ステップＳ１１２に進み、決定でない場合には、本プログラムを終了する。なお、本プログラムを終了させずに、ステップＳ１０１に戻ってもよい。
【００６６】
一方、ステップＳ５０１で、ＯＮ状態の組合せ秤フラグが複数ある場合には、ステップＳ５０４に進む。ステップＳ５０４では、情報処理装置１０１の演算処理器５１は、表示器５４に組合せ方法入力画面（図１４に示す画面）を表示する指令を出力する。これにより、表示器５４は、組合せ方法入力画面を表示する。ついで、演算処理器５１は、ユーザにより入力器５３から組合せ方法が入力されたかを検出する（ステップＳ５０５）。演算処理器５１は、入力器５３から組合せ方法が入力されるまで、ステップＳ５０５を繰り返し、入力器５３から組合せ方法が入力されると、ステップＳ５０６に進む。
【００６７】
ステップＳ５０６では、情報処理装置１０１の情報処理装置１０１の演算処理器５１は、入力器５３からユーザが入力した組合せ方法情報を取得し、排出方式入力画面（図１５に示す画面）を表示する指令を出力する（ステップＳ５０７）。これにより、表示器５４組合せ秤の画像表示、ユーザが選択した組合せ方法、及び排出方式を表示する。ついで、演算処理器５１は、ユーザにより入力器５３から排出方式が入力されたかを検出する（ステップＳ５０８）。演算処理器５１は、入力器５３から排出方式が入力されるまで、ステップＳ５０８を繰り返し、入力器５３から排出方式が入力されると、ステップＳ５０９に進む。
【００６８】
ステップＳ５０９では、情報処理装置１０１の演算処理器５１は、入力器５３からユーザが入力した排出方式情報を取得し、記憶器５２に記憶されている組合せ秤性能データのアドレスをセットする（ステップＳ５１０）。ついで、演算処理器５１は、組合せ秤番号ｉを１に設定し（ステップＳ５１１）、組合せ秤番号ｉ（ここでは、組合せ秤番号１）の性能データを取得する（ステップＳ５１２）。
【００６９】
次に、情報処理装置１０１の演算処理器５１は、ステップＳ５１２で取得した組合せ秤番号ｉの性能データと、ステップＳ５０６で取得した組合せ方法及びステップＳ５０９で取得した排出方式に適合するか否かを判定する（ステップＳ５１３）。組合せ秤番号ｉが、ステップＳ５０６で取得した組合せ方法及びステップＳ５０９で取得した排出方式の両方の条件に適合する場合には、演算処理器５１は、組合せ秤番号ｉのフラグをＯＮにして（ステップＳ５１４）、ステップＳ５１５に進む。一方、組合せ秤番号ｉが、ステップＳ５０６で取得した組合せ方法及びステップＳ５０９で取得した排出方式の条件に適合しない場合には、そのままステップＳ５１５に進む。
【００７０】
ステップＳ５１５では、情報処理装置１０１の演算処理器５１は、組合せ秤番号ｉをｉ＋１（ここでは、組合せ秤番号２）に設定する。そして、演算処理器５１は、ステップＳ５１５で設定した組合せ秤番号ｉが、ｎであるか否かを判定する（ステップＳ５１６）。組合せ秤番号ｉが、ｎでない場合には、ステップＳ５１２に戻り、組合せ秤番号ｉがｎになるまで、ステップＳ５１２〜ステップＳ５１６を繰り返す。一方、組合せ秤番号ｉが、ｎになると、ステップＳ５１７に進む。
【００７１】
ステップＳ５１７では、情報処理装置１０１の演算処理器５１は、組合せ秤番号ｉを再び１に設定する。ついで、演算処理器５１は、組合せ秤フラグがＯＮであるか否かを判定する（ステップＳ５１８）。組合せ秤フラグがＯＮでない場合には、演算処理器５１は、組合せ秤番号ｉをｉ＋１（ここでは、組合せ秤番号２）に設定し（ステップＳ５１９）、ステップＳ５１８に戻る。このように、演算処理器５１は、組合せ秤フラグがＯＮである組合せ秤番号が出てくるまでステップＳ５１８及びステップＳ５１９を繰り返す。
【００７２】
一方、組合せ秤フラグがＯＮである場合には、組合せ秤フラグがＯＮである組合せ秤の機種名、画像、及び仕様を表示器５４に表示する指令を出力する（ステップＳ５２０）。これにより、表示器５４は、当該組合せ秤の機種名、画像、及び仕様を表示する（図１６参照）。
【００７３】
そして、情報処理装置１０１の演算処理器５１は、入力器５３から当該組合せ秤で決定するか否かの情報を取得する（ステップＳ５２１）。当該組合せ秤で決定でない場合には、演算処理器５１は、ステップＳ５１７又はステップＳ５１９で設定した組合せ秤番号ｉが、ｎであるか否かを判定する（ステップＳ５２２）。組合せ秤番号ｉが、ｎでない場合には、ステップＳ５１９に戻り、組合せ秤番号ｉがｎになるまで、または組合せ秤が決定するまで、ステップＳ５１８〜ステップＳ５２２を繰り返す。また、情報処理装置１０１の演算処理器５１は、ステップＳ５２１で組合せ秤が決定の場合には、ステップＳ１１２に進み、ステップＳ５２２で組合せ秤番号ｉがｎになると、本プログラムを終了する。なお、本プログラムを終了させずに、ステップＳ１０１に戻ってもよい。
【００７４】
次に、図７に示すように、ステップＳ１１２では、情報処理装置１０１の演算処理器５１は、ステップＳ１０７で決定した包装機の機種及び当該機種の画像とステップＳ１１１で決定した組合せ秤の機種および該当機種の画像を表示器５４に表示させる指令を出力し、本プログラムを終了する。これにより、表示器５４は、ステップＳ１０７で決定した包装機の機種及び当該機種の画像とステップＳ１１１で決定した組合せ秤の機種および該当機種の画像を表示する（図１７参照）。
【００７５】
なお、本実施の形態においては、ステップＳ５０４で組合せ方法入力画面を表示させ、ステップＳ５０６で組合せ方法情報を取得したが、これに限定されず、ステップＳ３０６で取得したフォーミングチューブ数を組合せ方法として設定して、ステップＳ５０４〜ステップＳ５０６を省力してもよい。
【００７６】
[情報処理装置の画像表示]
次に、選択プログラムを開始した後に情報処理装置１０１の表示器５４に表示される画面の一例を図５、図１２〜図１７を参照しながら説明する。図５、図１２〜図１７は、図１に示す計量包装システム１００の情報処理装置１０１の外観を示す模式図であり、情報処理装置１０１の表示器５４に表示される画像を例示したものである。
【００７７】
まず、組合せ秤及び包装機の選択プログラムが開始されると、図５に示す入力画面が表示される。ユーザは、図５に示す画面から、包装形態、内容量、及び包装速度を設定する。具体的には、表示器５４に表示されている包装形態選択キー６１（ここでは、Ａ〜Ｊまでの１０種類）のうちＡ〜Ｊまでのいずれかの画像をユーザがタッチする。すると、タッチされた包装形態は反転する。また、ユーザが、内容量設定キー６２をタッチすると、テンキー画面に切り替わり（図示せず）、テンキー画面の数値をタッチすることで、内容値（最小量及び最大量）が入力される。同様に、ユーザが、包装速度設定キー６３をタッチすると、テンキー画面に切り替わり（図示せず）、テンキー画面の数値をタッチすることで、包装速度値（最小量及び最大量）が入力される。そして、ユーザが、図５に示す図面の決定キー６４をタッチすると、包装形態、内容量、及び包装速度が決定され、包装形態、内容量、及び包装速度の全ての条件に適合する包装機が複数の場合には、図１２に示す画面に切り替わり、また、包装機が１つの場合には、図１３に示す画面に切り替わる。ここでは、包装機が複数の場合であるとして以下の説明を行う。
【００７８】
図１２に示すように、ユーザが選択した包装形態、内容量、及び包装速度に該当する包装機が複数ある場合には、情報処理装置１０１の表示器５４には、フォーミングチューブ数選択キー６５（ここでは、１〜４の４種類）と包装機（ここでは、フォーミングチューブ数がそれぞれ１〜４本有する４種類の包装機）の画像６６が表示される。ユーザが、フォーミングチューブ数選択キー６５のうち１〜４のいずれかの画像（または、該当する包装機の画像６６）をタッチすると、タッチされたフォーミングチューブ数選択キー６５及び該当する包装機の画像６６が反転する。そして、ユーザが、図１２に示す画面の決定キー６４をタッチすると、フォーミングチューブ数が決定され、図１３に示す画面に切り替わる。なお、ユーザが選択した包装形態、内容量、及び包装速度に該当する包装機が、例えば、フォーミングチューブ数４の包装機が含まれていない場合、フォーミングチューブ数４の包装機は、表示器５４に表示されない。
【００７９】
フォーミングチューブ数が決定されると、図１３に示すように、情報処理装置１０１の表示器５４には、包装機の機種名６７、当該機種の画像６８、及び当該機種の仕様（例えば、包装速度、包装可能寸法等）６９が表示される。ユーザは、現在表示されている包装機の機種以外の包装機の機種を選択する場合には、戻るキー７０または次キー７１をタッチする。これにより、表示器５４には、他の包装機の機種が表示される。そして、ユーザが、表示された包装機の機種に決定する場合には、決定キー６４をタッチする。決定キー６４をタッチすると、包装機の機種が決定される。
【００８０】
また、包装機の機種が決定されると、ユーザが選択した被計量物の内容量を組合せ秤の計量範囲として設定され、また、包装速度を組合せ秤の計量速度に設定される。そして、これらの全ての条件に適合する組合せ秤が複数の場合には、図１６に示す画面に切り替わり、組合せ秤が１つの場合には、図１４に示す画面に切り替わる。ここでは、組合せ秤が複数の場合であるとして以下の説明を行う。
【００８１】
図１４に示すように、ユーザが選択した計量範囲及び計量速度に該当する組合せ秤が複数ある場合には、情報処理装置１０１の表示器５４には、組合せ方法選択キー７２（ここでは、１組〜４組の４種類）と組合せ秤（ここでは、集合ファンネルを、それぞれ１〜４本有する４種類の組合せ秤）の画像７３が表示される。ユーザが、組合せ方法選択キー７２のうち１組〜４組のいずれかの画像（または、該当する組合せ秤の画像７３）をタッチすると、タッチされた組合せ方法選択キー７２及び該当する組合せ秤の画像７３が反転する。そして、ユーザが、図１４に示す画面の決定キー６４をタッチすると、組合せ方法が決定され、図１５に示す画面に切り替わる。なお、ユーザが選択した計量範囲及び計量速度に該当する組合せ秤が、例えば、組合せ方法４組の組合せ秤が含まれていない場合、組合せ方法４組の組合せ秤（すなわち、集合ファンネルを４本有する組合せ秤）は、表示器５４に表示されない。
【００８２】
組合せ方法が決定されると、図１５に示すように、情報処理装置１０１の表示器５４には、ユーザが選択した組合せ方法（ここでは、２組）の画像７４、該当する組合せ秤（ここでは、集合シュートを２本有する組合せ秤）の画像７５、及び排出方式選択キー（ここでは、ツインとツイストシュート）７６が表示される。ユーザが、排出方式選択キー７６のうち、ツインまたはツイストシュートのいずれかの画像をタッチすると、タッチされた排出方式選択キー７６が反転する。そして、図１５に示す画面の決定キー６４をタッチすると、排出方式が決定され、図１６に示す画面に切り替わる。
【００８３】
排出方式が決定されると、図１６に示すように、情報処理装置１０１の表示器５４には、組合せ秤の機種名７７、当該機種の画像７８、及び当該機種の仕様（例えば、計量速度、最大計量範囲等）７９が表示される。ユーザは、現在表示されている組合せ秤の機種以外の組合せ秤の機種を選択する場合には、戻るキー７０または次キー７１をタッチする。これにより、表示器５４には、他の組合せ秤の機種が表示される。そして、ユーザが、表示された組合せ秤の機種に決定する場合には、決定キー６４をタッチする。決定キー６４をタッチすると、組合せ秤の機種が決定される。
【００８４】
そして、組合せ秤の機種が決定されると、図１７に示すように、情報処理装置１０１の表示器５４には、組合せ秤の機種名７７及び当該機種の画像７８と、包装機の機種名６７及び当該機種の画像６８と、が表示される。なお、ユーザは、戻るキー７０または決定キー６４をタッチすることで、図５に示す画面に戻ることができる。
【００８５】
このように、本実施の形態１に係る情報処理装置１０１では、組合せ秤１０２及び包装機１０３の制御を行うとともに、情報処理装置１０１が、種々の組合せ秤及び包装機の仕様を自動的に分類する。このため、ユーザは、生産ラインの変更等する場合に、組合せ秤と包装機のそれぞれの仕様書を比較検討することなく、表示器５４に表示された選択肢を単に選ぶだけで、ユーザが望む性能を有する機種を選出することができる。また、本実施の形態１に係る情報処理装置１０１では、インターネット１０５を介してサーバコンピュータ１０４に接続されており、組合せ秤及び包装機の機種のアップデートを容易に行うことができる。
【産業上の利用可能性】
【００８６】
本発明の計量包装システム用情報処理装置は、種々の組合せ秤及び包装機の中から、顧客にとって最適な組合せ秤及び包装機を容易に選択することができる計量包装システム用情報処理装置として、計量包装システムの分野で有用である。
【図面の簡単な説明】
【００８７】
【図１】本発明の実施の形態１に係る情報処理装置を備える計量包装システムの概略構成を示す模式図である。
【図２】図１に示す計量包装システムの組合せ秤及び包装機の外観示す模式図である。
【図３】図１に示す計量包装システムの組合せ秤の概略構成を示す模式図である。
【図４】図１に示す計量包装システムの包装機の主要部の概略構成を示す模式図である。
【図５】図１に示す計量包装システムの情報処理装置の外観を示す模式図である。
【図６】図１に示す計量包装システムの情報処理装置における記憶器に記憶されたデータの一部を示した模式図である。
【図７】図１に示す計量包装システムの情報処理装置における記憶器に格納されている組合せ秤及び包装機の選択プログラムの内容を概略的に示すフローチャートである。
【図８】図７に示す組合せ秤及び包装機の選択プログラムのフローチャートにおける包装機フラグの設定をさらに詳細に示すフローチャートである。
【図９Ａ】図７に示す組合せ秤及び包装機の選択プログラムのフローチャートにおける包装機表示指令をさらに詳細に示すフローチャートである。
【図９Ｂ】図７に示す組合せ秤及び包装機の選択プログラムのフローチャートにおける包装機表示指令をさらに詳細に示すフローチャートである。
【図１０】図７に示す組合せ秤及び包装機の選択プログラムのフローチャートにおける組合せ秤フラグの設定をさらに詳細に示すフローチャートである。
【図１１Ａ】図７に示す組合せ秤及び包装機の選択プログラムのフローチャートにおける包装機表示指令をさらに詳細に示すフローチャートである。
【図１１Ｂ】図７に示す組合せ秤及び包装機の選択プログラムのフローチャートにおける包装機表示指令をさらに詳細に示すフローチャートである。
【図１２】図１に示す計量包装システムの情報処理装置の外観を示す模式図である。
【図１３】図１に示す計量包装システムの情報処理装置の外観を示す模式図である。
【図１４】図１に示す計量包装システムの情報処理装置の外観を示す模式図である。
【図１５】図１に示す計量包装システムの情報処理装置の外観を示す模式図である。
【図１６】図１に示す計量包装システムの情報処理装置の外観を示す模式図である。
【図１７】図１に示す計量包装システムの情報処理装置の外観を示す模式図である。
【符号の説明】
【００８８】
１  分散フィーダ
１ａ  振動器
２  リニアフィーダ
２ａ  振動器
３  供給ホッパ
４  計量ホッパ
５  重量センサ
６  集合シュート（排出シュート）
７  集合ファンネル
１０  制御部
２１  フォーミングチューブ
２２  フォーマ
２３  プルダウンベルト機
２４  縦シール機
２５  横シール機
２６  ローラ
２７  包材
２８  包材ロール
５１  演算処理器
５２  記憶器
５３  入力器
５４  表示器
５５  通信器
６１  包装形態選択キー
６２  内容量設定キー
６３  包装速度設定キー
６４  決定キー
６５  フォーミングチューブ数選択キー
６６  包装機の画像
６７  包装機の機種名
６８  包装機の画像
６９  包装機の仕様
７０  戻るキー
７１  次キー
７２  組合せ方法選択キー
７３  組合せ秤の画像
７４  組合せ方法の画像
７５  組合せ秤の画像
７６  排出方式選択キー
７７  組合せ秤の機種名
７８  組合せ秤の画像
７９  組合せ秤の仕様
１００  計量包装システム
１０１  情報処理装置
１０２  組合せ秤
１０３  包装機
１０４  サーバコンピュータ
１０５  インターネット
【図１】
0005188867.tif 000002
【図２】
0005188867.tif 000003
【図３】
0005188867.tif 000004
【図４】
0005188867.tif 000005
【図５】
0005188867.tif 000006
【図６】
0005188867.tif 000007
【図７】
0005188867.tif 000008
【図８】
0005188867.tif 000009
【図９Ａ】
0005188867.tif 000010
【図９Ｂ】
0005188867.tif 000011
【図１０】
0005188867.tif 000012
【図１１Ａ】
0005188867.tif 000013
【図１１Ｂ】
0005188867.tif 000014
【図１２】
0005188867.tif 000015
【図１３】
0005188867.tif 000016
【図１４】
0005188867.tif 000017
【図１５】
0005188867.tif 000018
【図１６】
0005188867.tif 000019
【図１７】
0005188867.tif 000020